(57)【要約】      （修正有）【課題】ユーザビリティを保ちながらコネクタを風雨から保護できる電気自動車用パワーコンディショナを提供する。【解決手段】電気自動車用パワーコンディショナ１０は、コネクタ１５の先端を支持する受け凹部を有するコネクタホルダ筐体２０と、受け凹部を覆うカバー５０と、を備える。カバーは、受け凹部よりも前方に延びた側壁と、側壁の上端に設けられた天壁と、前壁と、を有する。前壁は、側壁の前端と天壁の前端とにより区画された開口を開閉する。カバーは、コネクタを収納しない状態で前壁が開いているときに斜め上方から受け凹部を視認できる。【選択図】図１
2022002462.tif 000002
【特許請求の範囲】
【請求項１】
コネクタの先端を支持する受け凹部を有するコネクタホルダと、
前記受け凹部を覆うカバーと、を備え、
前記カバーは、前記受け凹部よりも前方に延びた側壁と、前記側壁の上端に設けられた天壁と、前壁と、を有し、
前記前壁は、前記側壁の前端と前記天壁の前端とにより区画された開口を開閉し、
前記カバーは、前記コネクタを収納しない状態で前記前壁が開いているときに斜め上方から前記受け凹部を視認できるように構成されている
電気自動車用パワーコンディショナ。
【請求項２】
前記カバーは、前記コネクタを収納した状態で前記前壁が開いているときに斜め上方から前記コネクタに備えられた操作部が視認できるように構成されている、請求項１に記載の電気自動車用パワーコンディショナ。
【請求項３】
前記前壁は、前記天壁に回動可能に支持されている、請求項１又は２に記載の電気自動車用パワーコンディショナ。
【請求項４】
前記天壁は、ほぼ水平に延びた水平部を有し、前記前壁が開けられたときに前記前壁は前記水平部とほぼ平行な姿勢で支持される、請求項３に記載の電気自動車用パワーコンディショナ。
【請求項５】
前記カバーは、前記電気自動車用パワーコンディショナの筐体の側面に固定され、
前記前壁は、前記筐体の側面と前記側壁の前端と前記天壁の前端とにより区画された開口を開閉する、請求項１〜４のいずれか１項に記載の電気自動車用パワーコンディショナ。
【請求項６】
前記カバーに前記コネクタを収納し前記前壁が開けられた状態で、前記前壁を閉じることを促すメッセージを発する、請求項１〜５のいずれか１項に記載の電気自動車用パワーコンディショナ。
【請求項７】
前記カバーは、少なくともその一部が透視可能な材料で形成されている、請求項１〜６のいずれか１項に記載の電気自動車用パワーコンディショナ。
【請求項８】
コネクタの先端を支持する受け凹部を有するコネクタホルダと、
前記受け凹部を覆うカバーと、を備え、
前記カバーは、前記受け凹部よりも前方に延びた側壁と、前記側壁の上端に設けられた天壁と、前壁と、を有し、
前記カバーは、内部構造表示部を有する
電気自動車用パワーコンディショナ。
【発明の詳細な説明】
【技術分野】
【０００１】
本発明は、電気自動車用パワーコンディショナに関する。
【背景技術】
【０００２】
特許文献１は、充電装置本体の側面に、給電コネクタを収納するための収納部を備えた電気自動車用充電装置を開示している。収納部は、給電コネクタを挿入する挿入口が前面に露呈している（特許文献１、図２参照）。
特許文献２は、コネクタホルダの前方に前面パネル、後方にケーブルホルダを備えた壁掛け型の充電器具ホルダを開示している。前面パネルに設けられた開口を通じて、充電器具ホルダ内に設けられたコネクタホルダにコネクタが装着される（特許文献２、図１０参照）。
【０００３】
悪戯の防止を目的とした構造を採り入れた車両用充電装置も提案されている。
特許文献３は、コネクタに対する悪戯を防止できる車両用充電装置を開示している（特許文献３、図３および図４参照）。
特許文献４は、ユーザの作業性を確保しつつ悪戯や不注意による設備棄損を防止する、可動の拘束手段（カバー）が設けられた電気自動車用充電スタンドを開示している（特許文献４、図２および図７参照）。
【先行技術文献】
【特許文献】
【０００４】
【特許文献１】特開２０１２−２４４８７３
【特許文献２】特開２０１６−３２３６５
【特許文献３】特許第５８４２２２５号
【特許文献４】特開２０１０−２５９２７７
【発明の概要】
【発明が解決しようとする課題】
【０００５】
近年、電気自動車の駆動用の蓄電装置に充電する機能に加えて、電気自動車の蓄電装置から車外の負荷や系統に放電する機能を備えた、電気自動車用パワーコンディショナに対するニーズが高まっている。他方、電気自動車用パワーコンディショナの、ユーザビリティと防水性の両立について、これまで十分な検討がなされてこなかった。
【０００６】
本発明の一態様は、ユーザビリティを保ちながらコネクタを風雨から保護できる電気自動車用パワーコンディショナを提供する。
【課題を解決するための手段】
【０００７】
本発明の一態様に係る電気自動車用パワーコンディショナは、コネクタ先端を支持する受け凹部を有するコネクタホルダと、前記受け凹部を覆うカバーと、を備え、前記カバーは、前記受け凹部よりも前方に延びた側壁と、前記側壁の上端に設けられた天壁と、前壁と、を有し、前記前壁は、前記側壁の前端と前記天壁の前端とにより区画された開口を開閉し、前記カバーは、前記コネクタを収納しない状態で前記前壁が開いているときに斜め上方から前記受け凹部を視認できるように構成されている。
【０００８】
ここで、電気自動車用パワーコンディショナは、電気自動車の蓄電装置に充電する機能と、電気自動車の蓄電装置から車外の負荷や系統に放電する機能とを備えてもよいが、これに限定はされない。電気自動車用パワーコンディショナは、電気自動車の蓄電装置に充電する機能を持つ、いわゆるＥＶ充電器であってもよい。
【０００９】
電気自動車は、エンジンを備えない電気自動車であってもよいし、エンジンを併用するプラグインハイブリッド電気自動車（ＰＨＥＶ）又はハイブリッド電気自動車（ＨＥＶ）であってもよい。
【発明の効果】
【００１０】
上記態様により、電気自動車用パワーコンディショナのユーザビリティを保ちながら、電気自動車との接点として重要な部品であるコネクタを風雨から保護することができる。
【図面の簡単な説明】
【００１１】
【図１】電気自動車用パワーコンディショナを示す斜視図である。
【図２】カバーを示す斜視図である。
【図３】コネクタを収納しない状態におけるカバーと受け凹部との位置関係を示す概略断面図である。
【図４】コネクタが収納された状態を示す概略断面図である。
【図５】コネクタが収納され前壁が開けられた状態を示す概略断面図である。
【図６】カバーの変形例を示す斜視図である。
【発明を実施するための形態】
【００１２】
電気自動車用パワーコンディショナは、屋外に設置されることが多いと想定される。電気自動車との接点として重要な部品であるコネクタを風雨から保護することについて、これまで十分な検討がなされてこなかった。
【００１３】
コネクタを風雨から保護することに加えて、海に近い地域では、コネクタを塩害から保護することも求められる。
【００１４】
本発明者らが考案した電気自動車用パワーコンディショナは、コネクタ先端を支持する受け凹部を有するコネクタホルダと、前記受け凹部を覆うカバーと、を備え、前記カバーは、前記受け凹部よりも前方に延びた側壁と、前記側壁の上端に設けられた天壁と、前壁と、を有し、前記前壁は、前記側壁の前端と前記天壁の前端とにより区画された開口を開閉し、前記カバーは、前記コネクタを収納しない状態で前記前壁が開いているときに斜め上方から前記受け凹部を視認できるように構成されている。
【００１５】
電気自動車用パワーコンディショナは、ガソリンスタンドの給油機と同様に、筐体の側面に設けた構造物にケーブルとケーブル先端のコネクタを保持あるいは収納させるものが多い。上記構成のカバーは、コネクタホルダの受け凹部を覆うことに特化し、コンパクトなサイズにできる。
【００１６】
上記構成のカバーは、シンプルな構造であるため、金属板で形成できる。例えば、耐腐食性と強度に優れたステンレス製の金属板でカバーが形成されてもよい。カバーがコンパクトなサイズであれば、必要とされる金属板の量も少なく、重量とコストの増加を抑制できる。
【００１７】
コネクタホルダの受け凹部を覆う何らかの構造物によって、コネクタホルダの受け凹部が視認しにくいと、ユーザが、重いケーブルとコネクタを収納する作業が煩雑になる。上述した特許文献３や特許文献４に開示されている構造では、斜め上方からの仮想直線上に、筐体天壁やカバーが存在する。そのため、コネクタ先端を支持する受け凹部を視認するには、ユーザは、かがんだ姿勢で水平方向正面から見る必要がある。特許文献３や特許文献４の構造において、ユーザがかがまなくて済むように、コネクタ先端を支持する受け凹部の位置を高くする設計が考えられる。しかし、そのような設計では、重いケーブルとコネクタを収納する作業がユーザにとって著しい負担となるため、現実的ではない。
本発明者らが考案した上記構成の電気自動車用パワーコンディショナは、コネクタを収納しない状態でカバーの前壁が開いているときに、斜め上方から受け凹部を視認できるように構成されている。そのため、コネクタホルダの受け凹部を比較的低い位置に設定できる。ユーザはかがんだりする事なく、容易に受け凹部を視認して、体感負担が少ない状態でコネクタを装着できる。こうして、電気自動車用パワーコンディショナのユーザビリティを保ちながら、電気自動車との接点として重要な部品であるコネクタを、カバーによって風雨や塩害から保護することができる。
【００１８】
前記カバーは、前記コネクタを収納した状態で前記前壁が開いているときに斜め上方から前記コネクタに備えられた操作部が視認できるように構成されていてもよい。
【００１９】
操作部は、例えば、リリースボタンやトリガであってもよいが、これらに限定はされない。上記構成により、コネクタをカバー内に収納するときに加えて、コネクタをカバーから取り出すときのユーザビリティも保たれる。
【００２０】
前記前壁は、前記天壁に回動可能に支持されていてもよい。
【００２１】
例えば前壁の上端を、回動可能に、天壁の前端に支持させれば、前壁が自然に閉じる方向に重力が作用する。そのため、前壁が意図せず開いてしまうことを防ぐための機構を省略したり簡素化したりできる。
【００２２】
前記天壁は、ほぼ水平に延びた水平部を有してもよく、前記前壁が開けられたときに前記前壁は前記水平部とほぼ平行な姿勢で支持されてもよい。
【００２３】
上記構成により、前壁を開けたときにユーザはその前壁を支持し続けずにすむ。前壁は自重により、ほぼ水平な姿勢を保つ。
【００２４】
前記カバーは、前記電気自動車用パワーコンディショナの筐体の側面に固定されてもよく、前記前壁は、前記筐体の側面と前記側壁の前端と前記天壁の前端とにより区画された開口を開閉してもよい。
【００２５】
上記構成により、筐体の側面をカバーの一部として機能させることで、カバーの形成に要する金属板などの材料の量を少なくでき、重量とコストの増加を抑制できる。
【００２６】
電気自動車用パワーコンディショナは、前記カバーに前記コネクタを収納し前記前壁が開けられた状態で、前記前壁を閉じることを促すメッセージを発してもよい。
【００２７】
上記構成により、カバーの前壁が開けられた状態で電気自動車用パワーコンディショナが放置されて、コネクタが風雨や塩害にさらされるリスクを低くできる。
【００２８】
以下、図面を参照しながら、電気自動車用パワーコンディショナの実施形態を説明する。
【００２９】
図１に示す電気自動車用パワーコンディショナ１０は、筐体内に、電力を変換する充放電ユニットや、冷却用のファンユニットを収納している。筐体の前面１０ａには、表示画面１２と各種操作ボタンとを含む表示パネル１１が設けられている。また、前面１０ａには、メンテナンス時に扉を開くためのハンドル１４が設けられている。
【００３０】
筐体の側面１０ｂ（本実施形態では左側面）には、コネクタホルダ筐体２０と、カバー５０とが設けられている。図１では、カバー５０を破線で示し、カバー５０内の構造を示しているが、実際にはカバー５０内の構造はこのように視認できない。コネクタホルダ筐体２０は、その内部に、受け凹部（後述）を有して、コネクタ１５の先端を保持している。コネクタ１５は、例えばその上面に、リリースボタン等の操作部１６を有している。
【００３１】
コネクタ１５は、ケーブル１３の先端に設けられている。ケーブル１３は、筐体の側面１０ｂから外部に延び、コネクタホルダ筐体２０等に設けられたケーブルフックに掛け回されてもよい。
地面（電気自動車用パワーコンディショナ１０の設置面）から、コネクタホルダ筐体２０までの高さは、１メートル（ｍ）程度であってもよい。
【００３２】
カバー５０は、その後端がコネクタホルダ筐体２０に接続されている。例えば、カバー５０を耐腐食性と強度に優れたステンレス製の板により形成し、カバー５０の後端を、コネクタホルダ筐体２０（金属製）に溶接してもよい。代替的に、カバー５０とコネクタホルダ筐体２０とを金属板により一体的に形成してもよい（それらを単一のカバーとして形成してもよい）。
【００３３】
カバー５０は、その前端が、電気自動車用パワーコンディショナ１０の筐体の前面１０ａより前方に突出しないように形成されている。カバー５０は、コネクタ１５の把持部の後端付近（筐体の前面１０ａ付近）までを覆っている。カバー５０は、その下辺がほぼ水平方向に延びている。カバー５０の下辺は、コネクタホルダ筐体２０の下辺の延長線上に延びていてもよい。
【００３４】
図２に示すように、カバー５０は、側壁５０ｂと、側壁５０ｂの上端に設けられた天壁５０ｃと、前壁５０ａとを有する。前壁５０ａは、電気自動車用パワーコンディショナ１０の筐体の側面１０ｂ（図１参照）と、カバー５０の側壁５０ｂの前端と天壁５０ｃの前端と、により区画された開口を開閉する。
【００３５】
本実施形態では、前壁５０ａの上端が、天壁５０ｃの前端に、２個のヒンジ５２により回動可能に支持されている。ヒンジ５２の数は、２個に限定はされない。前壁５０ａを天壁５０ｃに回動可能に支持するための手段は、ヒンジ５２に限定はされない。
【００３６】
前壁５０ａはその下端に、前壁５０ａを形成する金属板を折り曲げて形成した、つまみ（タブ）５１を有している。このようなつまみ５１に代えて、前壁５０ａに、別体のハンドルが取り付けられてもよい。
【００３７】
上述のように、本実施形態のカバー５０は、側壁５０ｂの下辺がほぼ水平方向に延びている。側壁５０ｂの上辺は、側壁５０ｂの後端から斜め上方に延びた傾斜部と、傾斜部の前端から側壁５０ｂの前端に至る水平部とを有している。側壁５０ｂの水平部に、天壁５０ｃの水平部５０ｃ１が接続されている。側壁５０ｂの傾斜部に、天壁５０ｃの傾斜部５０ｃ２が接続されている。傾斜部５０ｃ２を設けることで、カバー５０のサイズ（体積）をコンパクトにしている。
【００３８】
本実施形態のカバー５０は、天壁５０ｃが傾斜部５０ｃ２を有することで、後方に向かって高さが低くなっているが、カバーの形状はこれに限定はされない。後述する受け凹部が、カバー５０の後方に、かつ、側壁５０ｂの下辺からはみ出さない程度にカバー５０下側に配置されていれば、カバー５０の形状は図２に示すものと異なってもよい。
【００３９】
図３は、コネクタを収納しない状態におけるカバー５０とコネクタホルダ筐体２０とを示す概略断面図である。コネクタホルダ筐体２０内には、コネクタの先端を支持するための受け凹部２０ａが形成されている。受け凹部２０ａは、水平方向前方に開口している。受け凹部２０ａには、ゴム等の緩衝材により形成されコネクタ１５の先端を受容する弾性ホルダが装着されてもよい。
【００４０】
図３に示すように、受け凹部２０ａは、カバー５０の後方に、かつ、側壁５０ｂの下辺からはみ出さない程度にカバー５０下側に配置されている。天壁（水平部５０ｃ１）の前端は、受け凹部２０ａよりも十分に高い位置にある。天壁５０ｃ１の前端から受け凹部２０ａに至る仮想直線上に、視界を遮る障害物はない。そのため、ユーザがカバー５０の前壁５０ａを回動させて開けると、又は、前壁５０ａが開いた状態にあると、図３に一点鎖線で示すように、斜め上方から受け凹部２０ａを視認できる。ユーザは、かがんだりする事なく、容易に受け凹部２０ａを視認して、電気自動車（図示せず）から取り外したコネクタを装着できる。
天壁５０ｃの水平部５０ｃ１の前端と傾斜部５０ｃ２の後端とを繋ぐ仮想直線と、水平方向とのなす角度は、２０°以上であることが好ましく、３０°以上であることがより好ましい。
【００４１】
前壁５０ａは、約２７０°回動して、天壁の水平部５０ｃ１とほぼ並行な姿勢で支持される。前壁５０ａは自重により、ほぼ水平な姿勢を保つ。そのため、前壁５０ａを開けたときにユーザは前壁５０ａを支持し続けずにすむ（手を前壁５０ａから放すことができる）。
【００４２】
図４は、コネクタ１５が収納され、前壁５０ａを閉じた状態を示す概略断面図である。前壁５０ａには、自然に閉じる方向に重力が作用する。そのため、前壁５０ａが意図せず開いてしまうことを防ぐための機構（クリップやフック）を省略したり簡素化したりできる。
【００４３】
コネクタ１５の下端部や、コネクタ１５から延びたケーブルは、前壁５０ａおよび側壁５０ｂの下辺からはみ出していてもよい。他方、受け凹部２０ａは、前壁５０ａおよび側壁５０ｂの下辺からはみ出さない。言い換えれば、前壁５０ａは、閉じられた状態では、その下端（下辺）が受け凹部２０ａより下方に位置して、受け凹部２０ａの水平方向前方を完全に覆っている。側壁５０ｂは、下辺が受け凹部２０ａより下方に位置して、受け凹部２０ａを常に覆っている。
それぞれの壁の寸法は、例えば、前壁５０ａの高さは２６０〜２８０ミリメートル（ｍｍ）、天壁５０ｃの水平部５０ｃ１の、前端から傾斜部５０ｃ２との接続点までの長さは、１９０〜２１０ｍｍとすることができる。水平部５０ｃ１に対する傾斜部５０ｃ２の傾斜角は５５〜６５°とすることができる。前述のとおり、地面（電気自動車用パワーコンディショナ１０の設置面）から、コネクタホルダ筐体２０までの高さ（受け凹部２０ａの中心までの高さ）は、１ｍ程度とすることができる。前壁５０ａは、コネクタホルダ筐体２０の２倍程度の高さを有する。
【００４４】
図示しないが、カバー５０は、側壁５０ｂの下端に接続された底壁を有してもよい。底壁は、コネクタ１５を収納した際にコネクタ１５やケーブルと干渉しない程度に設けられる。
【００４５】
図５は、コネクタ１５が収納され前壁５０ａが開けられた状態を示す概略断面図である。天壁５０ｃ１の前端からコネクタ１５に至る仮想直線上に、視界を遮る障害物はない。ユーザは、斜め上方からコネクタ１５に備えられたリリースボタンの操作部１６（図１参照）を容易に視認できる。ユーザは、リリースボタンを操作して、コネクタ１５を受け凹部２０ａから取り外すことができる。こうして、コネクタ１５をカバー５０内に収納するときに加えて、コネクタ１５をカバー５０から取り出すときのユーザビリティ・操作性も保たれる。
【００４６】
本発明は、上述した実施形態に限定はされない。
【００４７】
例えば、電気自動車用パワーコンディショナ１０は、カバー５０にコネクタ１５を収納し前壁５０ａが開けられた状態で、前壁５０ａを閉じることを促すメッセージを発するように構成されてもよい。前壁５０ａが開いていることを検知するセンサがカバー５０に備えられてもよい。メッセージは、表示パネル１１に示すとともに、スピーカーを通じて発話してもよい。こうすることで、カバー５０の前壁５０ａが開けられた状態で電気自動車用パワーコンディショナ１０が放置されて、コネクタ１５が風雨や塩害にさらされるリスクを低くできる。
【００４８】
上述した実施形態では、前壁５０ａの上端（上辺）を、天壁５０ｃの前端に回動可能に支持させた。代替的に、前壁５０ａの側辺を、側壁５０ｂの前端に回動可能に支持させてもよい。
【００４９】
上述した実施形態では、カバー５０の側壁５０ｂの前端全域と、天壁５０ｃの前端全域と、により区画された開口を、前壁５０ａで開閉した。代替的に、カバー５０の側壁５０ｂの前端の一部と、天壁５０ｃの前端の一部と、により区画された開口を、前壁５０ａで開閉してもよい。前壁５０ａが、開閉可能部と、固定部とを有してもよい。受け凹部２０ａやコネクタ操作部１６の視認性が確保できる範囲で、前壁５０ａによって開閉する開口の位置と開口面積を設定してもよい。
【００５０】
上述した実施形態では、コネクタホルダ筐体２０内に受け凹部２０ａを形成（コネクタホルダ筐体２０がコネクタホルダに相当）した。代替的に、コネクタホルダ筐体２０を省略し、カバー５０内の後方かつ下側に、受け凹部２０ａを有する弾性ホルダや金属製ホルダを設置（弾性ホルダや金属製ホルダがコネクタホルダに相当）してもよい。受け凹部２０ａは、弾性板や金属板に形成された開口であってもよい（つまり、底部を有しない受け凹部であってもよい）。
【００５１】
上述した実施形態では、カバー５０を、透視不可能な金属板で形成した。代替的に、カバー５０の一部が、透視可能な材料で形成されてもよい。以下、前壁が透視可能な材料で形成される場合を説明するが、この形態に限定はされない。
【００５２】
図６に示すカバー５０は、前壁６０が、透視部５５を有している。透視部５５は、例えば、透明な樹脂板であってもよいし、可撓性を有する透明な樹脂シートであってもよい。透視部５５が、透明な樹脂板で形成される場合、その上端（上辺）が天壁５０ｃに回動可能に支持されてもよい。代替的に、透視部５５がカーテンのように水平方向にスライドしてもよい。透視部５５は、その下側に、意図せず透視部５５が開いてしまうことを防ぐストッパー５７を有してもよい。ストッパー５７は、例えば、金属製の錘であってもよいし、側壁５０ｂや側面１０ｂに吸着する磁石であってもよい。
【００５３】
透視部５５が、可撓性を有する透明な樹脂シートで形成される場合、透視部５５の上端（上辺）が、クリップ５６等を介して天壁５０ｃに支持されてもよい。代替的に、透視部５５が部分的に弾性変形しながらカーテンのように水平方向にスライドしてもよい。ユーザは、可撓性を有する透視部５５を必要な範囲でめくって（弾性変形させて）、収納されているコネクタ１５を取り出す。ユーザが透視部５５を放すと、透視部５５はストッパー５７の作用により自然にカバー５０の開口を閉じる。
【００５４】
前壁６０は、上述した実施形態と同様に、閉じられた状態では、その下端（下辺）が受け凹部２０ａより下方に位置して、受け凹部２０ａの水平方向前方を覆う。
【００５５】
図６に示すカバー５０によれば、コネクタ１５を収納しない状態で前壁６０が閉じているときに、ユーザが透視部５５を通して斜め上方から受け凹部２０ａを視認できる。言い換えれば、前壁６０が開いているときに加えて、前壁６０が閉じているときにも、ユーザが透視部５５を通して斜め上方から受け凹部２０ａを視認できる。また、カバー５０がコネクタ１５を収納した状態で前壁６０が閉じているときは、ユーザは、透視部５５を通して斜め上方からコネクタ１５に備えられた操作部１６（図１参照）を視認できる。常に内部を透視できるため、コネクタ１５をカバー５０内に収納するときと、コネクタ１５をカバー５０から取り出すときのユーザビリティ・操作性が保たれる。
【００５６】
カバー５０が、内部構造表示部を有して、ユーザが受け凹部２０ａやコネクタ１５の操作部１６を含む内部の構造を視認できる場合、カバー５０の前壁を開閉しない構造を採用してもよい。内部構造表示部は、図６に示したような透視部５５であってもよい。
【００５７】
例えばユーザは、透視部５５を通して受け凹部２０ａやコネクタ１５の操作部１６を視認しながら、カバー５０の底に形成された開口を介して、コネクタ１５を着脱できる。代替的に、ユーザは、透視部を通して受け凹部２０ａやコネクタ１５の操作部１６を視認しながら、側壁５０ｂや天壁５０ｃに備えられた開口や開閉扉を介して、コネクタ１５を着脱してもよい。
【００５８】
内部構造表示部は、透視部５５に代えて、鏡を用いて構成されてもよいし、撮像部を用いて構成されてもよい。
【００５９】
このように前壁を開閉しない構造を採用すれば、カバー５０の前壁が開けられた状態で電気自動車用パワーコンディショナ１０が放置されて、コネクタ１５が風雨や塩害にさらされるリスクを低くできる。
【符号の説明】
【００６０】
１０  電気自動車用パワーコンディショナ
１５  コネクタ
２０  コネクタホルダ筐体
２０ａ  受け凹部
５０  カバー
５５  透視部（内部構造表示部）
【図１】
2022002462.tif 000003
【図２】
2022002462.tif 000004
【図３】
2022002462.tif 000005
【図４】
2022002462.tif 000006
【図５】
2022002462.tif 000007
【図６】
2022002462.tif 000008